(57)【要約】【課題】分散アンテナシステムにおける端末により実行される信号送信方法及びその方法を用いる端末を提供する。【解決手段】セル内に複数のアンテナが分散されて配置される分散アンテナシステムにおける端末の信号送信方法は、基地局からアップリンクアンテナ情報を受信するステップ；前記アップリンクアンテナ情報に基づいてアップリンク電力を制御するステップ；及び、前記アップリンク電力制御に基づいてアップリンク信号を送信するステップ；を含み、前記アップリンクアンテナ情報は、前記アップリンク信号を受信する前記基地局の受信アンテナを指示することを特徴とする。【選択図】図３
2013524568.tif 000002
【特許請求の範囲】
【請求項１】
セル内に複数のアンテナが分散されて配置される分散アンテナシステムにおける端末の信号送信方法において、
基地局からアップリンクアンテナ情報を受信するステップ；
前記アップリンクアンテナ情報に基づいてアップリンク電力を制御するステップ；及び、
前記アップリンク電力制御に基づいてアップリンク信号を送信するステップ；を含み、
前記アップリンクアンテナ情報は、前記アップリンク信号を受信する前記基地局の受信アンテナを指示することを特徴とする方法。
【請求項２】
前記基地局からダウンリンクアンテナ情報を受信するステップ；及び、前記ダウンリンクアンテナ情報に基づいてダウンリンクチャネル状態情報を生成するステップ；をさらに含み、前記ダウンリンクアンテナ情報は、前記基地局が前記端末にダウンリンク信号を送信する送信アンテナを指示することを特徴とする請求項１に記載の方法。
【請求項３】
前記アップリンクアンテナ情報は、前記ダウンリンクアンテナ情報が指示するアンテナ及び少なくとも一つの追加的なアンテナを指示することを特徴とする請求項２に記載の方法。
【請求項４】
前記アップリンクアンテナ情報は、前記少なくとも一つの追加的なアンテナに対するアンテナインデックスのみを含むことを特徴とする請求項３に記載の方法。
【請求項５】
前記アップリンク信号は、前記ダウンリンクチャネル状態情報を含むことを特徴とする請求項２に記載の方法。
【請求項６】
前記ダウンリンクアンテナ情報は、前記アップリンクアンテナ情報が指示するアンテナ及び少なくとも一つの追加的なアンテナを指示することを特徴とする請求項２に記載の方法。
【請求項７】
前記ダウンリンクアンテナ情報は、前記少なくとも一つの追加的なアンテナに対するアンテナインデックスのみを含むことを特徴とする請求項６に記載の方法。
【請求項８】
前記端末は、前記アップリンクアンテナ情報が指示する受信アンテナに対する経路損失の平均を用いてアップリンク送信電力を調整することを特徴とする請求項１に記載の方法。
【請求項９】
前記アップリンクアンテナ情報は、前記受信アンテナのアンテナインデックスを含むことを特徴とする請求項１に記載の方法。
【請求項１０】
前記アップリンクアンテナ情報は、前記受信アンテナを介して送信される参照信号のインデックスを含むことを特徴とする請求項１に記載の方法。
【請求項１１】
セル内に複数のアンテナが分散されて配置される分散アンテナシステムにおける端末の信号送信方法において、
基地局からダウンリンク基準信号を受信するステップ；
前記ダウンリンク基準信号を用いて選好アンテナグループを選定するステップ；
前記選好アンテナグループに対する情報を前記基地局にフィードバックするステップ；
前記基地局からダウンリンクアンテナ情報を受信するステップ；
前記選好アンテナグループを前記基地局の受信アンテナと仮定してアップリンク電力を制御するステップ；及び、
前記基地局にアップリンク信号を送信するステップ；を含み、
前記アップリンク信号は、前記選好アンテナグループに含まれているアンテナを介して送信されることを特徴とする方法。
【請求項１２】
無線信号を送受信するＲＦ部；及び、
前記ＲＦ部に連結されるプロセッサ；を含み、
前記プロセッサは、
基地局からアップリンクアンテナ情報を受信し、前記アップリンクアンテナ情報に基づいてアップリンク電力を制御し、前記制御された電力に基づいてアップリンク信号を送信し、
前記アップリンクアンテナ情報は、前記アップリンク信号を受信する前記基地局の受信アンテナを指示することを特徴とする端末。
【請求項１３】
前記プロセッサは、前記基地局からダウンリンクアンテナ情報をさらに受信し、前記ダウンリンクアンテナ情報に基づいてダウンリンクチャネル状態情報を生成し、前記ダウンリンクアンテナ情報は、前記基地局がダウンリンク信号を送信する送信アンテナを指示することを特徴とする請求項１２に記載の端末。
【発明の詳細な説明】
【技術分野】
【０００１】
本発明は、無線通信に関し、より詳しくは、分散アンテナシステムにおける端末により実行される信号送信方法及びその方法を用いる端末に関する。
【背景技術】
【０００２】
分散アンテナシステム（ｄｉｓｔｒｉｂｕｔｅｄ  ａｎｔｅｎｎａ  ｓｙｓｔｅｍ；ＤＡＳ）は、アンテナがセル（ｃｅｌｌ）内の多様な位置に分散されて配置され、このようなアンテナを単一基地局が管理するシステムを意味する。分散アンテナシステムは、基地局のアンテナがセル中央に集中されて配置されるという点で従来集中アンテナシステム（Ｃｅｎｔｒａｌｉｚｅｄ  ａｎｔｅｎｎａ  ｓｙｓｔｅｍ；ＣＡＳ）と相違する。
【０００３】
分散アンテナシステムは、フェムトセル／ピコセル（ｆｅｍｔｏ  ｃｅｌｌ／ｐｉｃｏ  ｃｅｌｌ）、中継局、アドホック（ａｄ−ｈｏｃ）システムと区別される。分散アンテナシステムは、個別アンテナがそのアンテナの領域を自体的に管轄するものではなく、基地局で全てのアンテナの領域を管轄するという点で個別アンテナが別個のネットワークを構成するフェムトセル／ピコセルと異なる。分散アンテナシステムは、各アンテナが有線で連結されることができるという点で中継局またはアドホックシステム（ａｄ−ｈｏｃ  ｓｙｓｔｅｍ）とも区別される。また、分散アンテナシステムにおける各アンテナは、基地局の命令によって互いに異なる信号を送ることができるという点で単純なリピータ（ｒｅｐｅａｔｅｒ）とも区別される。
【０００４】
初期の分散アンテナシステムの用途は、陰影地域（ｓｈａｄｏｗ  ｒｅｇｉｏｎ）をカバーするためにセル内にアンテナをさらに設置して信号を繰り返して（ｒｅｐｅｔｉｔｉｏｎ）送信することであった。即ち、初期分散アンテナシステムは、カバレッジ（ｃｏｖｅｒａｇｅ）確保が主な目的であった。巨視的にみる時、分散アンテナシステムは、アンテナが同時に複数のデータストリーム（ｄａｔａ  ｓｔｒｅａｍ）を送信したり受信し、一つまたはその以上の端末をサポートすることができるという点で一種の多重入／出力（ｍｕｌｔｉｐｌｅ  ｉｎｐｕｔ  ｍｕｌｔｉｐｌｅ  ｏｕｔｐｕｔ；ＭＩＭＯ）システムとみることができる。ＭＩＭＯシステムは、高いスペクトラム効率（ｓｐｅｃｔｒａｌ  ｅｆｆｉｃｉｅｎｃｙ）のため次世代通信の要求事項を満たすことができるシステムであると認識されている。ＭＩＭＯシステム具現の観点で、分散アンテナシステムは、集中アンテナシステムより長所が多い。例えば、ユーザとアンテナとの間の距離が減ることによって電力効率が高く、低いアンテナ間の相関度及び干渉のためチャネル容量が高く、セル内のユーザの位置と関係なしに相対的に均一な品質の通信が確保されることができる点などの長所がある。
【０００５】
即ち、前述した長所を有する分散アンテナシステムは、現在と未来の通信規格で要求する高いデータ容量を確保するためのＭＩＭＯシステム具現に有利であり、ＭＩＭＯ送信を実行することが必要である。例えば、同じ周波数領域で単一端末（ｕｓｅｒ  ｅｑｕｉｐｍｅｎｔ；ＵＥ）にランク（ｒａｎｋ）２以上を送信することが必要である（これを単一ユーザＭＩＭＯ（ｓｉｎｇｌｅ  ｕｓｅｒ  ＭＩＭＯ；ＳＵ−ＭＩＭＯ）送信という）。または、複数の端末を同時にサポートする多重ユーザＭＩＭＯ（ｍｕｌｔｉ  ｕｓｅｒ  ＭＩＭＯ；ＭＵ−ＭＩＭＯ）送信が必要である。このような必要性は、ダウンリンク（ｄｏｗｎｌｉｎｋ）だけでなく、アップリンク（ｕｐｌｉｎｋ）でも要求されることができる。
【０００６】
前述したＳＵ−ＭＩＭＯ及びＭＵ−ＭＩＭＯ通信は、標準化団体であるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２と３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）で必須的にに考慮しており、実際にＩＥＥＥ８０２．１６ｅ／ｍ、３ＧＰＰ  ＬＴＥリシース（Ｒｅｌｅａｓｅ）８／９などの標準で扱っている。然しながら、現在の通信標準は、集中アンテナシステムを前提にデザインされているため、現在の通信標準をＭＩＭＯ技術のような改善された（ａｄｖａｎｃｅｄ）技術が適用された分散アンテナシステムにそのまま適用することは難しいのが現実である。従って、分散アンテナシステムをサポートする通信標準が必要であり、このような通信標準に提供されることができる端末の信号送信方法及びそのような方法を用いる端末が必要である。
【発明の概要】
【発明が解決しようとする課題】
【０００７】
分散アンテナシステムにおける端末の信号送信方法及びその方法を用いる端末を提供することを目的にする。
【課題を解決するための手段】
【０００８】
本発明の一側面によるセル内に複数のアンテナが分散されて配置される分散アンテナシステムにおける端末の信号送信方法は、基地局からアップリンクアンテナ情報を受信するステップ；前記アップリンクアンテナ情報に基づいてアップリンク電力を制御するステップ；及び、前記アップリンク電力制御に基づいてアップリンク信号を送信するステップ；を含み、前記アップリンクアンテナ情報は、前記アップリンク信号を受信する前記基地局の受信アンテナを指示することを特徴とする。
【０００９】
前記基地局からダウンリンクアンテナ情報を受信するステップ；及び、前記ダウンリンクアンテナ情報に基づいてダウンリンクチャネル状態情報を生成するステップ；をさらに含み、前記ダウンリンクアンテナ情報は、前記基地局が前記端末にダウンリンク信号を送信する送信アンテナを指示する。
【００１０】
前記アップリンクアンテナ情報は、前記ダウンリンクアンテナ情報が指示するアンテナ及び少なくとも一つの追加的なアンテナを指示する。
【００１１】
前記アップリンクアンテナ情報は、前記少なくとも一つの追加的なアンテナに対するアンテナインデックスのみを含む。
【００１２】
前記アップリンク信号は、前記ダウンリンクチャネル状態情報を含む。
【００１３】
前記ダウンリンクアンテナ情報は、前記アップリンクアンテナ情報が指示するアンテナ及び少なくとも一つの追加的なアンテナを指示する。
【００１４】
前記ダウンリンクアンテナ情報は、前記少なくとも一つの追加的なアンテナに対するアンテナインデックスのみを含む。
【００１５】
前記端末は、前記アップリンクアンテナ情報が指示する受信アンテナに対する経路損失の平均を用いてアップリンク送信電力を調整する。
【００１６】
前記アップリンクアンテナ情報は、前記受信アンテナのアンテナインデックスを含む。
【００１７】
前記アップリンクアンテナ情報は、前記受信アンテナを介して送信される参照信号のインデックスを含む。
【００１８】
本発明の他の側面によるセル内に複数のアンテナが分散されて配置される分散アンテナシステムにおける端末の信号送信方法は、基地局からダウンリンク基準信号を受信するステップ；前記ダウンリンク基準信号を用いて選好アンテナグループを選定するステップ；前記選好アンテナグループに対する情報を前記基地局にフィードバックするステップ；前記基地局からダウンリンクアンテナ情報を受信するステップ；前記選好アンテナグループを前記基地局の受信アンテナと仮定してアップリンク電力を制御するステップ；及び、前記基地局にアップリンク信号を送信するステップ；を含み、前記アップリンク信号は、前記選好アンテナグループに含まれているアンテナを介して送信されることを特徴とする。
【００１９】
本発明の他の側面による端末は、無線信号を送受信するＲＦ部；及び、前記ＲＦ部に連結されるプロセッサ；を含み、前記プロセッサは、基地局からアップリンクアンテナ情報を受信し、前記アップリンクアンテナ情報に基づいてアップリンク電力を制御し、前記制御された電力に基づいてアップリンク信号を送信し、前記アップリンクアンテナ情報は、前記アップリンク信号を受信する前記基地局の受信アンテナを指示することを特徴とする。
【００２０】
前記プロセッサは、前記基地局からダウンリンクアンテナ情報をさらに受信し、前記ダウンリンクアンテナ情報に基づいてダウンリンクチャネル状態情報を生成し、前記ダウンリンクアンテナ情報は、前記基地局がダウンリンク信号を送信する送信アンテナを指示する。
【発明の効果】
【００２１】
本発明によると、分散アンテナシステムにおける基地局が端末に信号を送信する送信アンテナ集合と端末から信号を受信する受信アンテナ集合が互いに異なる場合にも効率的に基地局と端末との間の信号送受信が可能である。また、本発明によると、端末の不必要な電力消耗を減らすことができる。
【図面の簡単な説明】
【００２２】
【図１】無線通信システムを示すブロック図である。
【図２】分散アンテナシステムを例示する。
【図３】本発明の一実施例に係る基地局と端末との間の信号送受信方法を示す。
【図４】本発明の一実施例に係る基地局と端末との間の信号送受信方法を示す。
【図５】基地局と端末との間の信号送受信方法の他の例である。
【図６】アンテナ別に送信する参照信号の一例を示す。
【図７】アンテナ別に送信する参照信号の一例を示す。
【図８】基地局及び端末を示すブロック図である。
【発明を実施するための形態】
【００２３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、ＬＴＥの進化である。ＩＥＥＥ８０２．１６ｍは、ＩＥＥＥ８０２．１６ｅの進化である。
【００２４】
図１は、無線通信システムを示すブロック図である。
【００２５】
図１を参照すると、無線通信システム１０は、少なくとも一つの基地局（ｂａｓｅ  ｓｔａｔｉｏｎ；ＢＳ）１１を含む。各基地局１１は、セル１５ａ、１５ｂ、１５ｃと呼ばれる特定の地理的領域に通信サービスを提供する。また、セルはセクター（ｓｅｃｔｏｒ）と呼ばれる複数の領域に分けられることができる。端末（ｕｓｅｒ  ｅｑｕｉｐｍｅｎｔ；ＵＥ）１２は、固定されたり移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。
【００２６】
以下、ダウンリンク（ｄｏｗｎｌｉｎｋ；ＤＬ）は、基地局から端末への通信リンクを意味し、アップリンク（ｕｐｌｉｎｋ；ＵＬ）は、端末から基地局への通信リンクを意味する。ダウンリンクで、送信機は基地局の一部分であり、受信機は端末の一部分である。アップリンクで、送信機は端末の一部分であり、受信機は基地局の一部分である。
【００２７】
基地局または端末は、多重アンテナをサポートすることができる。即ち、送信機は複数の送信アンテナ（ｔｒａｎｓｍｉｔ  ａｎｔｅｎｎａ）を使用し、受信機は複数の受信アンテナ（ｒｅｃｅｉｖｅ  ａｎｔｅｎｎａ）を使用することができる。送信アンテナは、一つの信号またはストリーム（ｓｔｒｅａｍ）の送信に使われる物理的または論理的アンテナを意味し、受信アンテナは、一つの信号またはストリームの受信に使われる物理的または論理的アンテナを意味する。送信機及び受信機が複数のアンテナを使用すると、無線通信システムは、ＭＩＭＯ（ｍｕｌｔｉｐｌｅ  ｉｎｐｕｔ  ｍｕｌｔｉｐｌｅ  ｏｕｔｐｕｔ）システムと呼ばれることもある。
【００２８】
ＭＩＭＯシステムには多様な送信技法が使われることができる。送信技法は、基地局が端末にダウンリンクデータを送信する技法を意味する。ＭＩＭＯ送信技法には、送信ダイバーシティ（ｔｒａｎｓｍｉｔ  ｄｉｖｅｒｓｉｔｙ）、空間多重化（ｓｐａｔｉａｌ  ｍｕｌｔｉｐｌｅｘｉｎｇ）、及びビーム形成（ｂｅａｍｆｏｒｍｉｎｇ）などがある。送信ダイバーシティは、多重送信アンテナで同じデータを送信し、送信信頼度を高める技術である。空間多重化は、多重送信アンテナで互いに異なるデータを同時に送信し、システムの帯域幅を増加させずに高速のデータを送信することができる技術である。ビーム形成は、多重アンテナでチャネル状態による加重値を加えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために使われる。この時、加重値は、加重値ベクトル（ｗｅｉｇｈｔ  ｖｅｃｔｏｒ）または加重値行列（ｗｅｉｇｈｔ  ｍａｔｒｉｘ）で表示されることができ、これをプリコーディングベクトル（ｐｒｅｃｏｄｉｎｇ  ｖｅｃｔｏｒ）またはプリコーディング行列（ｐｒｅｃｏｄｉｎｇ  ｍａｔｒｉｘ）という。
【００２９】
空間多重化は、単一ユーザに対する空間多重化と多重ユーザに対する空間多重化がある。単一ユーザに対する空間多重化は、ＳＵ−ＭＩＭＯ（Ｓｉｎｇｌｅ  Ｕｓｅｒ  ＭＩＭＯ）とも呼ばれ、多重ユーザに対する空間多重化は、ＳＤＭＡ（Ｓｐａｔｉａｌ  Ｄｉｖｉｓｉｏｎ  Ｍｕｌｔｉｐｌｅ  Ａｃｃｅｓｓ）或いはＭＵ−ＭＩＭＯ（Ｍｕｌｔｉ  Ｕｓｅｒ  ＭＩＭＯ）とも呼ばれる。
【００３０】
ＭＩＭＯ送信技法は、ＲＲＣ（ｒａｄｉｏ  ｒｅｓｏｕｒｃｅ  ｃｏｎｔｒｏｌ）メッセージのような上位階層（ｈｉｇｈｅｒ  ｌａｙｅｒ）信号により半静的に（ｓｅｍｉ−ｓｔａｔｉｃａｌｌｙ）設定されることができる。
【００３１】
図２は、分散アンテナシステムを例示する。
【００３２】
図２を参照すると、分散アンテナシステム（ｄｉｓｔｒｉｂｕｔｅｄ  ａｎｔｅｎｎａ  ｓｙｓｔｅｍ；ＤＡＳ）は、少なくとも一つの基地局（ＢＳ）と複数の基地局アンテナ（ＡＮＴ１〜ＡＮＴ８；以下、基地局アンテナをアンテナと呼ぶ）で構成されることができる。アンテナ（ＡＮＴ１〜ＡＮＴ８）は、基地局（ＢＳ）と有線または無線で連結されることができる。分散アンテナシステムは、従来の集中アンテナシステム（ｃｅｎｔｒａｌｉｚｅｄ  ａｎｔｅｎｎａｌ  ｓｙｓｔｅｍ；ＣＡＳ）と違って、アンテナがセルの特定地点、例えば、セルの中央に集中されておらずにセル内の多様な位置に分散されて配置される。アンテナは、セル内の離隔された各場所に一つのアンテナが存在することもできるが、セル内の離隔された各場所に複数個のアンテナが密集されて存在する形態に分布することもできる。例えば、アンテナ５は、単一アンテナで構成されずに地域的に密集された複数のアンテナ１１１−１、１１１−２、１１１−３で構成されることができる。このように地域的に密集された複数のアンテナをアンテナノード（ａｎｔｅｎｎａ  ｎｏｄｅ）と呼ぶことができる。即ち、アンテナ５はアンテナノードである。一つのアンテナノード内に含まれているアンテナは、地理的に数メートル（ｍｅｔｅｒ）内に位置し、端末立場では同じ地点に属していると判断することができる。各アンテナノードは、端末がアクセスすることができるアクセスポイントのような役割をする。以下、アンテナは、単一アンテナだけでなく、アンテナノードを含む意味として使用する。
【００３３】
アンテナは、送受信カバレッジ（ｃｏｖｅｒａｇｅ）がオーバーラップ（ｏｖｅｒｌａｐ）されてランク（ｒａｎｋ）２以上の送信が可能に分布されることができる。即ち、各アンテナの送受信カバレッジが隣接した少なくとも一つの他のアンテナにまで及ぼすことができる。この場合、セル内に存在する端末は、セル内の位置、チャネル状態などによって複数のアンテナから受信する信号の強度が多様に変更されることができる。
【００３４】
図２の例を参照すると、端末１（ＵＥ１）は、アンテナ１、２、５、６から受信感度の良い信号を受信することができる。反面、アンテナ３、４、７、８から送信される信号は、経路損失（ｐａｔｈ  ｌｏｓｓ）により端末１に及ぼす影響が極めて少ない。端末２（ＵＥ２）は、アンテナ６、７から受信感度の良い信号を受信することができ、残りのアンテナから送信される信号は、その影響が極めて少ない。同様に、端末３（ＵＥ３）の場合、アンテナ３からのみ受信感度の良い信号を受信することができ、残りのアンテナの信号は無視できるほど強度が弱い。
【００３５】
前記例で説明したように、分散アンテナシステムではセル内で相互間に離隔された端末に対してＭＵ−ＭＩＭＯ通信を実行することが容易である。即ち、前記例で、端末１にはアンテナ１、２、５、６を介して通信を実行し、端末２にはアンテナ７、端末３にはアンテナ３を介して通信を実行することができる。アンテナ４、８は、端末２または端末３のための信号を送信してもよく、何らの信号を送信しなくてもよい。即ち、アンテナ４、８は、場合によってオフ状態に運用することもできる。また、端末１、２、３に対する送信ランク（ｒａｎｋ）の数または送信レイヤ（ｌａｙｅｒ；即ち、送信ストリームの数）の数は各々異なる。例えば、端末が２個の受信アンテナを有する場合、端末１にはランク２の送信を実行することができ、端末２、３にはランク１の送信を実行することができる。
【００３６】
前述したように、分散アンテナシステムでＳＵ−ＭＩＭＯ／ＭＵ−ＭＩＭＯ通信を実行する場合、各端末当たり送信レイヤが多様に存在することができ、各端末に割り当てられるアンテナ（または、アンテナグループ）が互いに異なることもある。即ち、分散アンテナシステムでは各端末に対して特定アンテナ（または、特定アンテナグループ）をサポートすることができる。端末にサポートするアンテナは、時間によって変更されることができる。
【００３７】
以下、分散アンテナシステムで適用することができる基地局と端末との間の信号送受信方法に対して説明する。
【００３８】
図３は、本発明の一実施例に係る基地局と端末との間の信号送受信方法を示す。
【００３９】
図３を参照すると、基地局は、端末にアップリンクアンテナ情報を送信する（Ｓ１０）。
【００４０】
ここで、アップリンクアンテナ情報は、端末が送信するアップリンク信号を基地局が受信するアンテナまたはアンテナノードを指示する情報を意味する。既存ＣＡＳシステムにおける基地局は、端末がセル内の最初進入、セル内の再進入、ハンドオーバなどの過程を介してセル内に入る場合、基地局の送信アンテナの個数のみを知らせた。反面、本発明における基地局は、各端末にアップリンク信号を受信するアンテナ（または、アンテナノード）を識別することができるアップリンクアンテナ情報を提供するという点で相違する。アップリンクアンテナ情報は、各端末にユニキャスト（ｕｎｉｃａｓｔ）されることができる。
【００４１】
端末は、アップリンクアンテナ情報に基づいてアップリンク電力制御を実行する（Ｓ２０）。前述したように、ＤＡＳではＣＡＳとは違って、基地局のアンテナがセル内に分散されて配置されている。従って、各アンテナの経路損失（ｐａｔｈｌｏｓｓ）の差が無視できないほど発生することができる。即ち、基地局が特定端末のアップリンク信号をどのアンテナを介して受信するかによって送信効率、前記特定端末の送信電力などに差が発生するようになる。端末は、アップリンクアンテナ情報に基づくアップリンク電力制御を実行することによってバッテリー消耗を減らすことができる。
【００４２】
端末は、基地局にアップリンク信号を送信する（Ｓ３０）。ここで、アップリンク信号は、例えば、帯域要求（ｂａｎｄｗｉｄｔｈ  ｒｅｑｕｅｓｔ）信号である。端末は、アップリンクに送信するデータがある場合、基地局に帯域要求過程を実行する。図３には示していないが、帯域要求過程は、（１）端末が帯域要求信号送信、（２）基地局が帯域要求信号に対する応答メッセージ送信、（３）端末の帯域要求メッセージ送信、（４）基地局がアップリンク承認メッセージ送信、（５）端末がアップリンクデータ送信の過程を経ることができる。
【００４３】
図４は、本発明の他の実施例に係る基地局と端末との間の信号送受信方法を示す。
【００４４】
図４を参照すると、基地局は、端末にダウンリンクアンテナ情報及びアップリンクアンテナ情報を送信する（Ｓ１００）。ここで、ダウンリンクアンテナ情報は、基地局が端末にダウンリンク信号を送信するアンテナまたはアンテナノードを指示する情報を意味する。アップリンクアンテナ情報は、前述したように、端末が送信するアップリンク信号を基地局が受信するアンテナまたはアンテナノードを指示する情報を意味する。アップリンクアンテナ情報とダウンリンクアンテナ情報は、端末に同時に送信されることもでき、別に送信されることもできる。また、図３には示していないが、各アンテナまたはアンテナノード別にチャネルを測定及び推定することができる参照信号（ｒｅｆｅｒｅｎｃｅ  ｓｉｇｎａｌ）を送信することができる。参照信号は、基地局と端末が予め知っている信号であり、パイロット（ｐｉｌｏｔ）、ミッドアンブル（ｍｉｄａｍｂｌｅ）のような他の用語で呼ばれることもある。
【００４５】
端末は、ダウンリンクアンテナ情報に基づいてダウンリンクチャネルを測定（ｍｅａｓｕｒｅｍｅｎｔ）または推定（ｅｓｔｉｍａｔｉｏｎ）してダウンリンクチャネル状態情報を生成する（Ｓ２００）。ダウンリンクチャネル状態情報は、例えば、ＣＱＩ（ｃｈａｎｎｅｌ  ｑｕａｌｉｔｙ  ｉｎｄｉｃａｔｏｒ）、ＲＩ（ｒａｎｋ  ｉｎｄｉｃａｔｏｒ）、ＰＭＩ（ｐｒｅｃｏｄｉｎｇ  ｍａｔｒｉｘ  ｉｎｄｉｃａｔｏｒ）等を含むことができる。例えば、ダウンリンクアンテナ情報の指示するアンテナがアンテナ１、アンテナ２の場合、端末は、アンテナ１、アンテナ２とのチャネルに対してチャネル状態情報を生成することができる。この時、端末は、アンテナ１、アンテナ２で送信する参照信号を測定してチャネル状態情報を生成することができる。
【００４６】
端末は、アップリンクアンテナ情報に基づいてアップリンク電力制御を実行する（Ｓ３００）。
【００４７】
ＤＡＳでは、特定端末に対して基地局がダウンリンク信号を送信するアンテナ集合（送信アンテナ集合）と、前記特定端末が送信するアップリンク信号を基地局が受信するアンテナ集合（受信アンテナ集合）と、が互いに異なる。例えば、ダウンリンクで、アンテナ１は端末１に、アンテナ２は端末２に、アンテナ３は端末３に、アンテナ４は端末４にダウンリンク信号を送信することができる。反面、アップリンクで、端末１〜端末４が送信する各々のアップリンク信号をアンテナ１〜アンテナ４が全部受信することができる。このような場合、特定端末、例えば、端末１に対し、送信アンテナ集合はアンテナ１のみを含み、受信アンテナ集合はアンテナ１〜アンテナ４を含む。即ち、送信アンテナ集合と受信アンテナ集合が互いに異なる。
【００４８】
アップリンク電力制御は、一般的に初期電力補正（ｉｎｉｔｉａｌ  ｃａｌｉｂｒａｔｉｏｎ）またはデータ損失防止のために周期的にアップリンク送信電力（ｔｒａｎｓｍｉｔ  ｐｏｗｅｒ）を補正する場合に使われる。端末のアップリンク送信電力は、例えば、以下の数式のように示すことができる。
【００４９】
【数１】
2013524568.tif 000003
【００５０】
前記数式１で、‘Ｌ’は、端末で推定したダウンリンク伝達損失（ｐｒｏｐａｇａｔｉｏｎ  ｌｏｓｓ）であり、経路損失（ｐａｔｈｌｏｓｓ）及び陰影損失などを含むことができる。‘ＳＩＮＲＴａｒｇｅｔ’は、送信しようとするチャネルやリソースに対するＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）の目標値である。‘ＮＩ’は、基地局で推定した平均雑音及び干渉の電力量であり、ダウンリンク制御チャネルを介して端末に伝達される値である。‘Ｏｆｆｓｅｔ’は、基地局または端末で推定した電力制御調整値である。
【００５１】
集中アンテナシステムにおいて、基地局及び／または端末が多重アンテナをサポートする場合、数式１の各値は、該当多重アンテナに対する平均値を使用することができる。集中アンテナシステムでは多重アンテナが地域的に集中されて配置されるため、各アンテナ間のチャネル特性が大きく異ならない、或いは無視する水準であると仮定することができるためである。然しながら、分散アンテナシステムでは各アンテナ間のチャネル特性、例えば、経路損失が無視できないほど異なる。従って、端末が送信アンテナ集合に対して推定した数式１の‘Ｌ’値と受信アンテナ集合に対して推定した数式１の‘Ｌ’値は、無視できないほど異なるようになる。
【００５２】
例えば、分散アンテナシステムにおいて、端末１がアップリンク送信電力を決定する場合、送信アンテナ集合に対して経路損失の平均を取ってアップリンク送信電力を決定すると、地理的に端末１の近くにあるが、ダウンリンク送信時に他の端末をサポートしたアンテナ（または、アンテナノード）に対する経路損失を計算に含むことができないことがある。従って、アップリンク送信電力を過度にブースティング（ｂｏｏｓｔｉｎｇ）するようになって実際所望の品質水準（ｑｕａｌｉｔｙ  ｌｅｖｅｌ）を越えるようになることができる。これは端末の電力消耗を増加させるだけでなく、同時に隣接した他の端末のアップリンク送信に干渉を増加させる結果を引き起こす。
【００５３】
他の例に、端末１が基地局の全てのアンテナ、即ち、セル内に分散されて配置された全てのアンテナに対して経路損失の平均を取ると、実際に端末１の信号を受信しないアンテナまで経路損失計算に含まれることができる。このような場合、端末１が計算したアップリンク送信電力は、所望の品質水準に達しない確率が高まる。
【００５４】
このような問題を解決するために、端末１は、アップリンクアンテナ情報で指示する受信アンテナ集合に対して経路損失の平均を取ってアップリンク送信電力を決定することができる。
【００５５】
端末は、アップリンク信号を基地局に送信する（Ｓ４００）。アップリンク信号には前述したダウンリンクチャネル状態情報、ＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）のような制御情報及びユーザデータなどを含むことができる。
【００５６】
分散アンテナシステムでは、受信アンテナ集合が送信アンテナ集合を含むことができる。例えば、端末１が地理的にアンテナ１、アンテナ２、アンテナ５、アンテナ６の近くにあるが、端末２のため基地局はアンテナ１、アンテナ２、アンテナ５を介してのみ端末１に対するダウンリンク信号を送信する制約を受けることができる。反面、アップリンク送信では端末１が送信したアップリンク信号がアンテナ１、アンテナ２、アンテナ５、アンテナ６の全てに影響を与えることができる。このような場合、端末１に対する基地局の送信アンテナグループは｛アンテナ１，アンテナ２，アンテナ５｝で、基地局の受信アンテナグループは｛アンテナ１、アンテナ２，アンテナ５，アンテナ６｝である。即ち、受信アンテナグループが送信アンテナグループを含む形態である。
【００５７】
このような場合、アップリンクアンテナ情報とダウンリンクアンテナ情報は、相互間の連関性（ｃｏｒｒｅｌａｔｉｏｎ）を用いて情報量（例えば、送信されるビット量）を減らすことができる。前記例で、ダウンリンクアンテナ情報は、アンテナ１、アンテナ２、アンテナ５に対するアンテナインデックスを含み、アップリンクアンテナ情報は、アンテナ６に対するアンテナインデックスのみを含むことができる。即ち、アップリンクアンテナ情報は、ダウンリンクアンテナ情報に追加されるアンテナに対する情報のみを含むことができる。このような規則、即ち、アップリンクアンテナ情報がダウンリンクアンテナ情報で指示するアンテナに追加されるアンテナに対する情報を含むという規則は、基地局と端末との間に予め約束されていることもあり、基地局が端末に明示的に知らせることもある。
【００５８】
または、端末の電力制約が大きい場合にはアップリンクアンテナ情報に含まれているアンテナ（または、アンテナノード）がダウンリンクアンテナ情報に含まれているアンテナ（または、アンテナノード）に比べて少ないこともある。端末の電力制約が大きい場合、アップリンク信号の及ぼす範囲（ｃｏｖｅｒａｇｅ）がダウンリンク信号の及ぼす範囲に比べて相当小さい場合があるためである。このような場合、受信アンテナグループのアンテナまたはアンテナノードが送信アンテナグループのアンテナまたはアンテナノードに含まれることができる。このような場合、前述した例と反対に、ダウンリンクアンテナ情報は、アップリンクアンテナ情報に追加されるアンテナに対する情報のみを含むことができる。
【００５９】
図５は、基地局と端末との間の信号送受信方法の他の例である。
【００６０】
図５を参照すると、基地局は、各アンテナまたはアンテナノード別に区分されるダウンリンク基準信号を送信する（Ｓ１１０）。端末は、ダウンリンク基準信号を用いて選好アンテナグループを選定する（Ｓ１２０）。例えば、端末は、ダウンリンク基準信号を測定してセル内に分散されて配置されているアンテナ１〜アンテナ８の中からチャネル状態の良いアンテナ１、アンテナ２、アンテナ５、アンテナ６を選好アンテナグループとして選定することができる。
【００６１】
端末は、選好アンテナグループ情報を基地局にフィードバックする（Ｓ１３０）。選好アンテナグループ情報は、前述した選好アンテナグループを指示する情報を含む。基地局は、選好アンテナグループに含まれているアンテナまたはアンテナノードのうち実際に前記端末にダウンリンク信号を送信するダウンリンクアンテナを設定する（Ｓ１４０）。ダウンリンクアンテナは、前述した送信アンテナ集合に該当することができる。また、基地局は、ダウンリンクアンテナ情報を端末に送信する（Ｓ１５０）。ダウンリンクアンテナ情報は、端末にダウンリンク信号を実際に送信するダウンリンクアンテナを指示する情報である。
【００６２】
端末は、ダウンリンクアンテナ情報を介して送信アンテナ集合を知ることができる。もし、送信アンテナ集合が端末の選定した選好アンテナグループの部分集合である場合、端末は、選好アンテナグループを基地局がアップリンク信号を受信するアップリンクアンテナ（即ち、受信アンテナ集合）と仮定し、アップリンク電力制御を実行し（Ｓ１６０）、アップリンク信号を基地局に送信する（Ｓ１７０）。
【００６３】
図４または図５を参照して説明した方法で、アップリンクアンテナ情報またはダウンリンクアンテナ情報は、明示的に（ｅｘｐｌｉｃｉｔ）アンテナまたはアンテナノードのインデックス情報形態に与えられることができる。
【００６４】
または、アップリンクアンテナ情報またはダウンリンクアンテナ情報は、黙示的に（ｉｍｐｌｉｃｉｔ）に与えられることもできる。例えば、アップリンクアンテナ情報またはダウンリンクアンテナ情報は、端末がアップリンク送信電力を決定する時に使用する経路損失計算に用いなければならない参照信号（ミッドアンブル、パイロットなど、他の名称で呼ばれることもある）のインデックス情報として与えられることもできる。端末は、参照信号インデックス形態に与えられるアップリンクアンテナ情報を用いて受信アンテナグループを知ることができる。
【００６５】
また、アップリンクアンテナ情報は、特定端末にのみユニキャストされることができる。例えば、基地局は、特定端末に割り当てられたリソース領域を介してアップリンクアンテナ情報を送信したり、特定端末のＩＤ（ｉｄｅｎｔｉｆｉｃａｔｉｏｎ）をＣＲＣ（ｃｙｃｌｉｃ  ｒｅｄｕｎｄａｎｃｙ  ｃｈｅｃｋ）にマスキングして送信することができる。ＣＲＣは、基地局が送信するメッセージのエラー可否を検出するためのものである。特定端末に送信するアップリンクアンテナ情報に付加されるＣＲＣに前記特定端末のＩＤをマスキングすることでユニキャストすることができる。
【００６６】
図６及び図７は、アンテナ別に送信する参照信号の一例を示す。
【００６７】
図６は、分散アンテナシステムに４個のアンテナが含まれる場合に使われることができる参照信号パターンの一例を示す。これは分散アンテナシステムがＩＥＥＥ８０２．１６ｍと標準規格に従う場合に用いることができる。図６を参照すると、一つのアンテナに対する参照信号パターンは、一つのフレーム内の特定ＯＦＤＭＡシンボルで同じ間隔ほど離隔された副搬送波位置にマッピングされる。このような参照信号パターンが周波数領域で重ならないように配置される形態に４個のミッドアンブルパターンが同じＯＦＤＭＡシンボルで送信される。即ち、基地局は、同じＯＦＤＭＡシンボルで互いに異なる周波数リソースを用いる４個のミッドアンブルパターンを送信する。図６では４個のアンテナである場合を例示したが、これに制限されるものではなく、Ｎ（４より大きい自然数）個のアンテナに拡張されることができる。
【００６８】
図７は、分散アンテナシステムがＬＴＥ／ＬＴＥ−Ａのような標準規格に従う場合に用いることができる。図７で、Ｒｐは、アンテナ＃ｐを介する参照信号送信に使われるリソース要素を示す（ｐ＝０，１，２，３）。参照信号送信に使われるリソース要素を参照信号リソース要素という。Ｒｐは、アンテナ＃ｐに対する参照信号リソース要素である。Ｒｐは、アンテナ＃ｐを除外した他の全てのアンテナを介してはどのような送信にも使われない。即ち、サブフレーム内のあるアンテナを介して参照信号送信のために使われるリソース要素は、同じサブフレーム内の他のアンテナを介してはどのような送信にも使われず、０に設定されることができる。これはアンテナ間干渉を与えないためである。図６では４個のアンテナを例示したが、これに制限されるものではなく、Ｍ（４より大きい自然数）個のアンテナに拡張されることができ、この場合、Ｍ個のアンテナの各々に対する参照信号リソース要素が互いに重ならないように配置される。
【００６９】
本発明は、多重搬送波を使用する分散アンテナシステムにも適用されることができる。
【００７０】
既存、３ＧＰＰ  ＬＴＥシステムは、ダウンリンク帯域幅とアップリンク帯域幅が異なるように設定される場合をサポートするが、これは一つの搬送波（ｃａｒｒｉｅｒ）を前提にする。即ち、３ＧＰＰ  ＬＴＥシステムは、ダウンリンクとアップリンクに対して各々一つの搬送波が定義されている状況で、ダウンリンクの帯域幅とアップリンクの帯域幅が異なる場合に対してのみサポートされることを意味する。例えば、３ＧＰＰ  ＬＴＥシステムは、最大２０ＭＨｚをサポートし、アップリンク帯域幅とダウンリンク帯域幅を異なるが、アップリンクとダウンリンクに一つの搬送波のみをサポートする。
【００７１】
反面、多重搬送波システムは、搬送波集成（ｃａｒｒｉｅｒ  ａｇｇｒｅｇａｔｉｏｎ；ＣＡ）をサポートする。搬送波集成は、複数の狭帯域単位搬送波（ｃｏｍｐｏｎｅｎｔ  ｃａｒｒｉｅｒ；ＣＣ）を集成して広帯域を構成することができることを意味する。搬送波集成は、送信帯域幅の拡張を介して増加されるスループット（ｔｈｒｏｕｇｈｐｕｔ）をサポートし、広帯域ＲＦ（ｒａｄｉｏ  ｆｒｅｑｕｅｎｃｙ）素子の導入のため費用増加を防止し、既存システムとの互換性を保障することができる。送信帯域幅の拡張は、例えば、２０ＭＨｚ帯域幅を有する単位搬送波５個を集成して最大１００Ｍｈｚの帯域幅をサポートすることができる。
【００７２】
搬送波集成は、周波数領域で連続的な搬送波間で行われる隣接（ｃｏｎｔｉｇｕｏｕｓ）搬送波集成と、集成が不連続的な搬送波間で行われる非隣接（ｎｏｎ−ｃｏｎｔｉｇｕｏｕｓ）搬送波集成と、に分けられる。非隣接搬送波集成をスペクトラム集成（ｓｐｅｃｔｒｕｍ  ａｇｇｒｅｇａｔｉｏｎ）と呼ばれることもある。
【００７３】
搬送波集成に使われる単位搬送波の帯域幅は、同じあってもよく、互いに異なってもよい。例えば、４０ＭＨｚ帯域の構成のために２０ＭＨｚ単位搬送波が２個使われることができる。または、４０ＭＨｚ帯域の構成のために２０ＭＨｚ単位搬送波１個と１０ＭＨｚ単位搬送波２個が使われることができる。
【００７４】
また、アップリンクに使われる総帯域幅とダウンリンクに使われる総帯域幅は、同じであってもよく、互いに異なってもよい。例えば、アップリンクには２０ＭＨｚ単位搬送波３個が使われて総帯域幅６０ＭＨｚが使われ、ダウンリンクには２０ＭＨｚ単位搬送波５個が使われて総帯域幅１００ＭＨｚが使われることができる。以下、多重搬送波（ｍｕｌｔｉｐｌｅ  ｃａｒｒｉｅｒ）システムは、搬送波集成に基づいて複数の搬送波をサポートすることができるシステムを意味する。
【００７５】
各単位搬送波で特定端末に設定された受信アンテナグループは、同じであってもよく、互いに異なってもよい。即ち、一部単位搬送波で特定端末に設定された受信アンテナグループは、他の単位搬送波でも同じに適用されることができる。または、一部単位搬送波で端末に設定された受信アンテナグループが他の単位搬送波で前記端末に設定された受信アンテナグループと異なることもある。
【００７６】
また、一つの単位搬送波内でも部分的周波数再使用（ｆｒａｃｔｉｏｎａｌ  ｆｒｅｑｕｅｎｃｙ  ｒｅｕｓｅ；ＦＦＲ）またはサブバンド別に適用が異なることもある。即ち、単位搬送波が周波数バンド（ｂａｎｄ）に区分されて使われる場合、各周波数バンドの受信アンテナグループは互いに異なる。このような場合、アップリンクアンテナ情報は、各周波数バンド別に送信されることができる。この時、情報量を減らしたり情報の正確度を高めるために、特定周波数バンド（これを基準バンドと呼ぶ）でのみアップリンクアンテナ情報を提供し、残りの周波数バンドでは基準バンドで送信される情報との相違に対してのみ情報を送信する方法を用いることができる。
【００７７】
または、基準バンドと異なる周波数バンドでの受信アンテナグループが異なるか否かを示す指示情報を追加することができる。例えば、基準バンドと異なる周波数バンドで受信アンテナグループが異なる場合にのみ、前記指示情報と基準バンドと異なる周波数バンドで送信される情報間の相違を送信することができる。
【００７８】
図８は、基地局及び端末を示すブロック図である。
【００７９】
基地局１００は、プロセッサ（ｐｒｏｃｅｓｓｏｒ）１１０、メモリ（ｍｅｍｏｒｙ）１２０、及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／または方法を具現する。即ち、プロセッサ１１０は、端末にアップリンクアンテナ情報及び／またはダウンリンクアンテナ情報を送信する。ダウンリンクアンテナ情報は、基地局がダウンリンク信号を送信する送信アンテナを指示し、アップリンクアンテナ情報は、端末が送信したアップリンク信号を受信する基地局の受信アンテナを指示する。メモリ１２０は、プロセッサ１１０と連結され、プロセッサ１１０を駆動するための多様な情報を格納する。ＲＦ部１３０は、プロセッサ１１０と連結され、無線信号を送信及び／または受信する。
【００８０】
端末２００は、プロセッサ２１０、メモリ２２０、及びＲＦ部２３０を含む。プロセッサ２１０は、基地局からダウンリンクアンテナ情報及び／またはアップリンクアンテナ情報を受信し、ダウンリンクアンテナ情報に基づいてダウンリンクチャネル状態情報を生成し、アップリンクアンテナ情報に基づいてアップリンク電力を制御し、アップリンク信号を送信する。メモリ２２０は、プロセッサ２１０と連結され、プロセッサ２１０を駆動するための多様な情報を格納する。ＲＦ部２３０は、プロセッサ２１０と連結され、無線信号を送信及び／または受信する。
【００８１】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１３０、２３０は、無線信号を送信及び／または受信する一つ以上のアンテナを含むことができる。実施例がソフトウェアで具現される時、前述した技法は前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段でプロセッサ１１０、２１０と連結されることができる。
【００８２】
本発明は、ハードウェア、ソフトウェアまたはこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニットまたはこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【００８３】
以上、本発明の好ましい実施例に対して詳細に記述したが、本発明が属する技術分野において通常の知識を有する者であれば、添付される請求範囲に定義された本発明の精神及び範囲を外れない限り、本発明を多様に変形または変更して実施することができる。従って、本発明の今後の実施例の変更は、本発明の技術を外れることができない。
【図１】
2013524568.tif 000004
【図２】
2013524568.tif 000005
【図３】
2013524568.tif 000006
【図４】
2013524568.tif 000007
【図５】
2013524568.tif 000008
【図６】
2013524568.tif 000009
【図７】
2013524568.tif 000010
【図８】
2013524568.tif 000011
【国際調査報告】
2013524568.tif 000012
2013524568.tif 000013
2013524568.tif 000014
2013524568.tif 000015